(57)【要約】【課題】複数の光ディスクに対応する複数の対物レンズの傾きを、高精度で効率良く、低コストに測定することができる光ピックアップ用対物レンズの傾き測定方法及び装置を提供する【解決手段】複数の光ディスクを載置する位置に光ディスクに対応する光学特性を有する補正板を載置し、レーザ光射出部から光ディスクに対応するレーザ光を射出し、対物レンズ及び補正板を透過したレーザ光を球面鏡で反射して、レーザ光及び球面鏡で反射したレーザ光のスポット像が補正板に形成されるように球面鏡を移動させ、球面鏡で反射したレーザ光を光検出部に結像させ、光検出部の検出結果から前記スポット像のコマ収差を測定して、複数の対物レンズの傾きを測定する。【選択図】図１
2010049766.tif 000002
【特許請求の範囲】
【請求項１】
異なる種類の複数の光ディスクの情報の再生及び／又は記録を行うことができ、前記複数の光ディスクに対応するレーザ光を射出するレーザ光射出部と、前記複数の光ディスクに対応する複数の対物レンズを設置したマウントとを具備した光ピックアップに用いる前記複数の対物レンズの傾きを測定する方法であって、
前記複数の光ディスクを載置する位置に前記光ディスクに対応する光学特性を有する補正板を載置し、前記レーザ光射出部から前記光ディスクに対応するレーザ光を射出し、前記対物レンズ及び前記補正板を透過したレーザ光を球面鏡で反射して、前記レーザ光及び前記球面鏡で反射したレーザ光のスポット像が前記補正板に形成されるように前記球面鏡を移動させ、前記球面鏡で反射したレーザ光を光検出部に結像させ、前記光検出部の検出結果から前記スポット像のコマ収差を測定して、前記複数の対物レンズの傾きを測定することを特徴とする光ピックアップ用対物レンズの傾き測定方法。
【請求項２】
異なる種類の複数の光ディスクの情報の再生及び／又は記録を行うことができ、前記複数の光ディスクに対応するレーザ光を射出するレーザ光射出部と、前記複数の光ディスクに対応する複数の対物レンズを設置したマウントとを具備した光ピックアップに用いる前記複数の対物レンズの傾きを測定する方法であって、
前記複数の光ディスクを載置する位置に前記光ディスクに対応する光学特性を有する補正板を載置し、前記レーザ光射出部から前記光ディスクに対応するレーザ光を射出し、前記対物レンズ及び前記補正板を透過したレーザ光を球面鏡で反射して、前記レーザ光及び前記球面鏡で反射したレーザ光のスポット像が前記補正板に形成されるように前記球面鏡を移動させ、前記反射したレーザ光を干渉計によって受光して前記反射光の波面収差を測定し、前記波面収差から前記コマ収差を測定し、前記コマ収差から前記複数の対物レンズの傾きを測定することを特徴とする光ピックアップ用対物レンズの傾き測定方法。
【請求項３】
前記レーザ光射出部が１箇所から前記レーザ光を照射し、前記複数の対物レンズが前記レーザ光を受光するために、前記マウントをスライドさせる請求項１又は２に記載の光ピックアップ用対物レンズの傾き測定方法。
【請求項４】
前記レーザ光射出部が、前記複数の対物レンズが設置されているそれぞれの位置に前記レーザ光を照射し、前記球面鏡が前記レーザ光を受光できるようにスライドさせる請求項１又は２に記載の光ピックアップ用対物レンズの傾き測定方法。
【請求項５】
前記対物レンズの傾きの測定値に基づいて前記対物レンズの傾きを調整する請求項１乃至４のいずれかに記載の光ピックアップ用対物レンズの傾き測定方法。
【請求項６】
異なる種類の複数の光ディスクの情報の再生及び／又は記録を行うことができ、前記複数の光ディスクに対応するレーザ光を射出するレーザ光射出部と、前記複数の光ディスクに対応する複数の対物レンズを設置したマウントとを具備し、前記複数の対物レンズの傾きを測定する装置であって、
前記複数の光ディスクを載置する位置に載置した前記光ディスクに対応する光学特性を有する補正板と、前記レーザ光射出部から射出され前記補正板を透過したレーザ光を反射する球面鏡と、前記レーザ光及び前記球面鏡を反射したレーザ光のスポット像が前記補正板に形成されるように前記球面鏡を移動させるためのステージと、前記ステージを制御するための制御部と、前記球面鏡を反射したレーザ光を受光して光検出部に結像させるための拡大光学系と、前記拡大光学系により結像された前記球面鏡を反射したレーザ光を検出する前記光検出部と、前記光検出部の検出結果から前記スポット像のコマ収差を測定して、前記複数の対物レンズの傾きを測定する解析部とを具備したことを特徴とする光ピックアップ用対物レンズの傾き測定装置。
【請求項７】
異なる種類の複数の光ディスクの情報の再生及び／又は記録を行うことができ、前記複数の光ディスクに対応するレーザ光を射出するレーザ光射出部と、前記複数の光ディスクに対応する複数の対物レンズを設置したマウントとを具備し、前記複数の対物レンズの傾きを測定する装置であって、
前記複数の光ディスクを載置する位置に載置した前記光ディスクに対応する光学特性を有する補正板と、前記レーザ光射出部から射出された前記補正板を透過したレーザ光を反射する球面鏡と、前記レーザ光及び前記球面鏡を反射したレーザ光のスポット像が前記補正板に形成されるように前記球面鏡を移動させるためのステージと、前記ステージを制御するための制御部と、前記球面鏡を反射したレーザ光を受光して波面収差を測定する干渉計と、前記波面収差からコマ収差を測定して、前記複数の対物レンズの傾きを測定する解析部とを具備したことを特徴とする光ピックアップ用対物レンズの傾き測定装置。
【請求項８】
前記レーザ光射出部が１箇所から前記レーザ光を照射するようになっており、前記複数の対物レンズが前記レーザ光を受光するために、前記マウントにスライド機構が設けられている請求項６又は７に記載の光ピックアップ用対物レンズの傾き測定装置。
【請求項９】
前記レーザ光射出部が、前記複数の対物レンズが設置されているそれぞれの位置に前記レーザ光を照射するようになっており、前記球面鏡が前記レーザ光を受光できるように、前記球面鏡及び前記ステージにスライド機構が設けられている請求項６又は７に記載の光ピックアップ用対物レンズの傾き測定装置。
【請求項１０】
前記対物レンズの傾きの測定値に基づいて、前記対物レンズの傾きを調整する傾き調整機構を具備している請求項６乃至９のいずれかに記載の光ピックアップ用対物レンズの傾き測定装置。
【発明の詳細な説明】
【技術分野】
【０００１】
本発明は、光ピックアップ用対物レンズの傾き測定方法及び装置に関し、特に異なる種類の複数の光ディスクの情報の再生及び／又は記録をする光ピックアップに用いられ、複数の光ディスクに対応する複数の対物レンズの傾き（光軸）を測定する光ピックアップ用対物レンズの傾き測定方法及び装置に関する。
【背景技術】
【０００２】
ＣＤ、ＤＶＤなどに例示される光ディスクに関する分野においては、ブルーレイディスク（Ｂｌｕ−ｒａｙ  Ｄｉｓｃ）（登録商標）やＨＤ−ＤＶＤ等のような、波長４００ｎｍ程度の青色の半導体レーザを用いて、高密度に記録された情報の再生及び／又は記録（以下、「再生／記録」とする。）するための光ディスクの装置の開発が行われている。ブルーレイディスクは、開口数ＮＡ０．８５、光源波長４０５ｎｍの仕様で情報の再生／記録を行い、直径１２ｃｍの光ディスクに対して、１層当たり１５〜２７ＧＢの情報の記録が可能であり、また、ＨＤ−ＤＶＤは、開口数ＮＡ０．６５、光源波長４０５ｎｍの仕様で情報の再生／記録を行い、直径１２ｃｍの光ディスクに対して、１層当たり１５〜２０ＧＢの情報の記録が可能であり、従来の光ディスクに比べて格段に短い波長のレーザを用いていることから、同じディスク径で成るＤＶＤの数倍の記録容量を有している。
【０００３】
このような状況において、例えば特開２００８−９０９４４号公報（特許文献１）には、大容量の情報を記録することが可能な光ディスク（例えばブルーレイディスク）と、従来から広く普及して使用されている光ディスクであるＣＤ及び／又はＤＶＤというような、複数種類の光ディスクに記録された情報の再生／記録を行うことができる光ピックアップが提案されている。
【０００４】
以下では、このような光ディスクのうち、ＤＶＤとブルーレイディスクの２種類の光ディスクを取り扱うことが可能な光ディスク装置の場合を例として説明する。このような光ピックアップは、ＤＶＤとブルーレイディスクのそれぞれの光ディスクに対して最適な集束状態となる開口数ＮＡの異なった２つの対物レンズを備える。この場合、１つの対物レンズのチルト角に合わせて、レーザ光の光軸と光ディスクの記録面とが直交するように対物レンズの向きが調整されている。しかしながら、対物レンズをレンズホルダ等の支持部品（以下、「マウント」と言う。）への取付け時の傾き誤差や、取付け部分の形状誤差等が、両方の対物レンズに対して同一であるとは限らないため、一方の対物レンズに合わせて調整しても、他方の対物レンズより出射されるレーザ光の軸が光ディスクの記録面と直交するとは限らない。また、この２つの対物レンズは、極めて高い精度で傾きを調整し、マウント上に固定する必要がある。
【０００５】
そこで特開２００７−３１１００６号公報（特許文献２）には、光ピックアップの対物レンズの傾きを、対物レンズの光源側にある第１のレンズ面の第１の光軸と、対物レンズの光ディスク側にある第２のレンズ面の第２の光軸を一致するようにし、対物レンズの外周に設けられた平面部であるコバ面の光ディスク側に対して、前記第１の光軸と前記第２の光軸が垂直になるようにした対物レンズ、光ピックアップ装置の製造方法が開示されている。
【０００６】
しかしながら、厳密には、コバ面の中心軸と光ディスクの記録面とが直交しても、対物レンズの光軸と記録ディスクの記録面とは直交しておらず、２つの対物レンズの向きを高精度で調整することは困難でる。
【０００７】
また、この他にも、例えば特開平６−１６８４５６号公報（特許文献３）に示されるように、対物レンズのマウント取付け時に、９０度ごとに表裏交互に突起が設けられたスペーサを用い、この突起を利用して対物レンズの向きを調整する光学手段傾角調整装置が提案されている。しかしながら、特許文献３に記載の装置は、対物レンズの調整の自由度が低いため、２つの対物レンズのそれぞれの向きを調整することが難しい。また、向きを調整することができたとしても、スペーサを多数使う必要があり、コストがアップすると共に、対物レンズホルダの重量が重くなり、光ピックアップの再生／記録精度が低下することがあり、また、対物レンズホルダの重量が重くなることで、支持、駆動に大きな力が必要になり、製造コスト及びランニングコストが高くなるという問題もある。
【０００８】
さらに、干渉計により光の波面を測定し、レンズの中心軸を測定する方法も考案されているが、装置のコストが高く、調整時間がかかるといった問題点がある。
【特許文献１】特開２００８−９０９４４号公報
【特許文献２】特開２００７−３１１００６号公報
【特許文献３】特開平６−１６８４５６号公報
【非特許文献１】田中康弘、「スポットの強度分布によるレーザー光学系の収差評価」、光学、応用物理学会分科会日本光学会、１９９３年、第２２巻、第８号、ｐ４５６−４６１
【非特許文献２】上島正史、天谷賢治「強度画像を用いた位相分布同定法の高精度化および効率化」、日本機械学會論文集．Ｃ編、社団法人日本機械学会、７２（７１７）、ｐ１４８６−１４９１、２００６０５２５（ＩＳＳＮ  ０３８７５０２４）
【非特許文献３】天谷賢治、堀田修平、上島正史「強度画像からの光位相分布の同定逆問題」、日本機械学會論文集．Ｃ編、社団法人日本機械学会、７２（７１７）、ｐ１４７８−１４８５、２００６０５２５（ＩＳＳＮ  ０３８７５０２４）
【発明の開示】
【発明が解決しようとする課題】
【０００９】
本発明は上述したような実情に鑑みてなされたもので、その目的とするところは、ＤＶＤやブルーレイディスク等の、異なる種類の複数の光ディスクの情報の再生／記録を行うことのできる光ピックアップに用いられ、複数の光ディスクに対応する複数の対物レンズの傾きを高精度で効率良く、低コストに測定することができる複数の対物レンズの傾きを測定する光ピックアップ用対物レンズの傾き測定方法及び装置を提供することにある。
【課題を解決するための手段】
【００１０】
本発明は、異なる種類の複数の光ディスクの情報の再生及び／又は記録を行うことができ、前記複数の光ディスクに対応するレーザ光を射出するレーザ光射出部と、前記複数の光ディスクに対応する複数の対物レンズを設置したマウントとを具備した光ピックアップに用いる前記複数の対物レンズの傾きを測定する方法に関し、本発明の上記目的は、前記複数の光ディスクを載置する位置に前記光ディスクに対応する光学特性を有する補正板を載置し、前記レーザ光射出部から前記光ディスクに対応するレーザ光を射出し、前記対物レンズ及び前記補正板を透過したレーザ光を球面鏡で反射して、前記レーザ光及び前記球面鏡で反射したレーザ光のスポット像が前記補正板に形成されるように前記球面鏡を移動させ、前記球面鏡で反射したレーザ光を光検出部に結像させ、前記光検出部の検出結果から前記スポット像のコマ収差を測定して、前記複数の対物レンズの傾きを測定することによって達成される。
【００１１】
本発明は、異なる種類の複数の光ディスクの情報の再生及び／又は記録を行うことができ、前記複数の光ディスクに対応するレーザ光を射出するレーザ光射出部と、前記複数の光ディスクに対応する複数の対物レンズを設置したマウントとを具備した光ピックアップに用いる前記複数の対物レンズの傾きを測定する方法に関し、本発明の上記目的は、前記複数の光ディスクを載置する位置に前記光ディスクに対応する光学特性を有する補正板を載置し、前記レーザ光射出部から前記光ディスクに対応するレーザ光を射出し、前記対物レンズ及び前記補正板を透過したレーザ光を球面鏡で反射して、前記レーザ光及び前記球面鏡で反射したレーザ光のスポット像が前記補正板に形成されるように前記球面鏡を移動させ、前記反射したレーザ光を干渉計によって受光して前記反射光の波面収差を測定し、前記波面収差から前記コマ収差を測定し、前記コマ収差から前記複数の対物レンズの傾きを測定することによって達成される。
【００１２】
本発明の上記目的は、前記レーザ光射出部が１箇所から前記レーザ光を照射し、前記複数の対物レンズが前記レーザ光を受光するために、前記マウントをスライドさせることによって、或いは前記レーザ光射出部が、前記複数の対物レンズが設置されているそれぞれの位置に前記レーザ光を照射し、前記球面鏡が前記レーザ光を受光できるようにスライドさせることによって、或いは前記対物レンズの傾きの測定値に基づいて前記対物レンズの傾きを調整することによって、より効果的に達成される。
【００１３】
本発明は、異なる種類の複数の光ディスクの情報の再生及び／又は記録を行うことができ、前記複数の光ディスクに対応するレーザ光を射出するレーザ光射出部と、前記複数の光ディスクに対応する複数の対物レンズを設置したマウントとを具備し、前記複数の対物レンズの傾きを測定する装置に関し、本発明の上記目的は、前記複数の光ディスクを載置する位置に載置した前記光ディスクに対応する光学特性を有する補正板と、前記レーザ光射出部から射出され前記補正板を透過したレーザ光を反射する球面鏡と、前記レーザ光及び前記球面鏡を反射したレーザ光のスポット像が前記補正板に形成されるように前記球面鏡を移動させるためのステージと、前記ステージを制御するための制御部と、前記球面鏡を反射したレーザ光を受光して光検出部に結像させるための拡大光学系と、前記拡大光学系により結像された前記球面鏡を反射したレーザ光を検出する前記光検出部と、前記光検出部の検出結果から前記スポット像のコマ収差を測定して、前記複数の対物レンズの傾きを測定する解析部とを具備することによって達成される。
【００１４】
本発明は、異なる種類の複数の光ディスクの情報の再生及び／又は記録を行うことができ、前記複数の光ディスクに対応するレーザ光を射出するレーザ光射出部と、前記複数の光ディスクに対応する複数の対物レンズを設置したマウントとを具備し、前記複数の対物レンズの傾きを測定する装置に関し、本発明の上記目的は、前記複数の光ディスクを載置する位置に載置した前記光ディスクに対応する光学特性を有する補正板と、前記レーザ光射出部から射出された前記補正板を透過したレーザ光を反射する球面鏡と、前記レーザ光及び前記球面鏡を反射したレーザ光のスポット像が前記補正板に形成されるように前記球面鏡を移動させるためのステージと、前記ステージを制御するための制御部と、前記球面鏡を反射したレーザ光を受光して波面収差を測定する干渉計と、前記波面収差からコマ収差を測定して、前記複数の対物レンズの傾きを測定する解析部とを具備することによって達成される。
【００１５】
本発明の上記目的は、前記レーザ光射出部が１箇所から前記レーザ光を照射するようになっており、前記複数の対物レンズが前記レーザ光を受光するために、前記マウントにスライド機構が設けられていることによって、或いは前記レーザ光射出部が、前記複数の対物レンズが設置されているそれぞれの位置に前記レーザ光を照射するようになっており、前記球面鏡が前記レーザ光を受光できるように、前記球面鏡及び前記ステージにスライド機構が設けられていることによって、或いは前記対物レンズの傾きの測定値に基づいて、前記対物レンズの傾きを調整する傾き調整機構を具備していることによって、より効果的に達成される。
【発明の効果】
【００１６】
本発明に係る光ピックアップ用対物レンズの傾き測定方法及び装置によれば、異なる種類の複数の光ディスクに対応する複数の対物レンズにレーザ光を照射し、光ピックアップの光ディスクを載置する位置に載置した補正板にスポット像を形成して、そのスポット像のコマ収差から複数の対物レンズの傾きを測定するようにしているので、高精度で効率良く、低コストに複数の対物レンズの傾きを測定することができる。
【００１７】
また、測定した複数の対物レンズの傾きに基づいて、複数の対物レンズの傾きを確実かつ正確に調整することができる。
【発明を実施するための最良の形態】
【００１８】
本発明に係る光ピックアップ用対物レンズの傾き測定方法及び装置によれば、異なる種類の複数の光ディスクに対応するレーザ光を、対応する複数の対物レンズに照射する。その際に、光ピックアップの光ディスクを載置する位置に補正板を載置し、補正板にスポット像を形成するように球面鏡の位置を調整する。そして、前記スポット像のコマ収差を測定して、このコマ収差からレンズの傾きを測定する。このため、高精度で効率良く、低コストに複数の対物レンズの傾きを測定することができ、測定値に基づいて複数の対物レンズの傾きを確実かつ正確に調整することができる。
【００１９】
以下、本発明の実施形態について、図面を参照しながら詳細に説明する。
【００２０】
図１は、本発明に係る光ピックアップ用対物レンズの傾き測定装置（以下、「本装置」と言う。）の構成例を示す系統図である。ここでは、光ピックアップが再生／記録をすることができる異なった種類の光ディスクを、ブルーレイディスクとＤＶＤとする。
【００２１】
本装置は、レーザ光２０Ａを射出するレーザ光射出部１と、ブルーレイディスク用に対応した対物レンズ３Ａ及びＤＶＤ用に対応した対物レンズ３Ｂと、対物レンズ３Ａ及び対物レンズ３Ｂが設置されているマウント４と、マウント４をスライドさせるスライド機構（図示せず）と、光ピックアップのブルーレイディスク又はＤＶＤを載置する位置に載置されたブルーレイディスク又はＤＶＤに対応した光学特性を有する透明の補正板５とを具備している。
【００２２】
本装置は更に、補正板５の下方に配置され、補正板５を透過したレーザ光２０Ａを反射してレーザ光２０Ｂを照射する球面鏡６と、球面鏡６をｘ軸方向、ｙ軸方向及びｚ軸方向に移動させるｘｙｚステージ７と、ｘｙｚステージ７を制御する制御部８と、レーザ光射出部１から射出されたレーザ光２０Ａを透過すると共に、球面鏡６から反射されたレーザ光２０Ｂをレーザ光２０Ｃとして反射するビームスプリッタ２と、ビームスプリッタ２からのレーザ光２０Ｃを受光し、レーザ光２０Ｄを照射して結像する拡大光学系９と、拡大光学系９からのレーザ光２０Ｄを受光して電気信号ＥＳに変換する光検出部１０と、電気信号ＥＳが入力され、補正板５に形成されるレーザ光２０Ａ及びレーサ光２０Ｂのスポット像のコマ収差を測定し、測定したコマ収差から対物レンズ３Ａ及び対物レンズ３Ｂの傾きを測定する解析部１１とを具備している。
【００２３】
レーザ光射出部１が射出するレーザ光２０Ａは、ブルーレイディスクに対応する波長４０５ｎｍの青色レーザ、又はＤＶＤに対応する波長６５０ｎｍの赤色レーザである。対物レンズ３Ａ及び対物レンズ３Ｂは、支持部材であるマウント４に設置されている。マウント４にはマウント４をスライドさせるスライド機構が設けられており、レーザ光２０Ａが青色レーザであるときには対物レンズ３Ａにレーザ光２０Ａが当たるようにすると共に、レーザ光２０Ａが赤色レーザであるときは対物レンズ３Ｂにレーザ光２０Ａが当たるようにしている。そして、補正板５は、レーザ光２０Ａが青色レーザであるときはブルーレイディスクに対応する光学特性を有するものが用いられ、レーザ光２０Ａが赤色レーザであるときはＤＶＤに対応する光学特性を有するものが用いられる。
【００２４】
また、球面鏡６は焦点が球面の中心になるようになっており、レーザ光２０Ｂの焦点が補正板５上に形成されるように球面鏡６をｘｙｚステージ７で水平方向のｘ軸方向及びｙ軸方向、垂直方向のｚ軸方向にそれぞれ移動させる。
【００２５】
拡大光学系９の一例を図２に示す。図２に示すように拡大光学系９は、ビームスプリッタ２からのレーザ光２０ＣをビームスプリットするビームスプリッタＢＳ２と、ビームスプリッタＢＳ２からの反射光を減光するＮＤ（Ｎｅｕｔｒａｌ  Ｄｅｎｓｉｔｙ）フィルタＮＤ１と、ＮＤフィルタＮＤ１からの透過光を結像するレンズＬ２と、レンズＬ２からの結像光を受光して電気信号に変換し、位置を測定するポジションセンサＰＳＤとから成る光学系９Ａを具備し、ビームスプリッタＢＳ２からの透過光をビームスプリットするビームスプリッタＢＳ３と、ビームスプリッタＢＳ３からの反射光を減光するＮＤフィルタＮＤ２と、ＮＤフィルタＮＤ２からの透過光を結像するレンズＬ３と、レンズＬ３からの結像光を受光する低倍率光学系用ＣＣＤカメラＣＣＤ１とから成る光学系９Ｂを具備している。更に、ビームスプリッタＢＳ３からの透過光を減光するＮＤフィルタＮＤ３と、ＮＤフィルタＮＤ３からの透過光を結像して出力する光学系を構成するレンズＬ４及びＬ５とを具備している。拡大光学系９を出射したレーザ光２０Ｄを受光する光検出部１０は、例えばＣＣＤカメラである。光学系９Ａ及び光学系９Ｂは、光検出部１０において効率的に撮像を行うために設けられたものであり、本発明に必須のものではない。
【００２６】
次に本装置を用いて、光ピックアップに用いる複数の対物レンズの傾きを測定する方法について説明する。先ず、ブルーレイディスク用の対物レンズ３Ａの傾きを測定する方法を説明する。
【００２７】
この場合、対物レンズ３Ａに、レーザ光射出部１から射出されるブルーレイディスクに対応する波長４０５ｎｍの青色レーザのレーザ光２０Ａが当たるように、マウント４に設けられたスライド機構で対物レンズ３Ａの位置を調整する。そして、ブルーレイディスクに対応する光学特性を有する補正板５を、光ピックアップのブルーレイディスクが載置される位置に載置する。
【００２８】
レーザ光射出部１から射出された波長４０５ｎｍの青色レーザのレーザ光２０Ａは、ビームスプリッタ２を透過し、更に対物レンズ３Ａを透過し、ブルーレイディスクに対応する光学特性を有する補正板５を透過し、球面鏡６で反射されてレーザ光２０Ｂが照射される。球面鏡６は、補正板５にレーザ光２０Ａ及びレーザ光２０Ｂのスポット像が形成されるように、ｘｙｚステージ７でｘ軸方向、ｙ軸方向及びｚ軸方向に移動されて調整される。
【００２９】
球面鏡６からのレーザ光２０Ｂは補正板５にスポット像を形成し、対物レンズ３Ａを透過して、ビームスプリッタ２で反射される。ビームスプリッタ２で反射されたレーザ光２０Ｃは拡大光学系９に入力され、拡大光学系９から出力されるレーザ光２０Ｄは光検出部１０に結像する。光検出部１０はレーザ光２０Ｄを受光して電気信号ＥＳに変換し、電気信号ＥＳは解析部１１に入力される。
【００３０】
解析部１１は、入力された電気信号ＥＳから、補正板５に形成されたスポット像のコマ収差を測定する。図３に、光検出部１０で撮像したスポット像の一例を示す。図３（Ａ）はスポット像の平面図であり、明るい方が強度が強くなっている。図３（Ｂ）はスポット像の強度分布を分かりやすく示すために、強度を高さで示した図である。このようなスポット像に生じるコマ収差は、非特許文献１若しくは非特許文献２、非特許文献３に記載されている公知の方法で効率的に測定することができる。即ち、コマ収差と対物レンズ３Ａの傾きには相関があることから、コマ収差を測定することによって対物レンズ３Ａの傾きを測定することができる。コマ収差が最小になるように対物レンズ３Ａの傾きを設定したとき、補正板５に対して対物レンズ３Ａの光軸が垂直になり、対物レンズ３Ａの傾き（光軸）は理想的な状態になる。
【００３１】
次に、ＤＶＤ用の対物レンズ３Ｂの傾きを測定するために、マウント４に設けられたスライド機構によってマウント４をスライドさせ、対物レンズ３Ｂにレーザ光射出部１から射出されるＤＶＤに対応する波長６５０ｎｍの赤色レーザのレーザ光２０Ａが当たるようにする。そして、ＤＶＤに対応する光学特性を有する補正板５を、光ピックアップのＤＶＤを載置する位置に載置する。
【００３２】
対物レンズ３Ａの傾きを測定したときと同様に、補正板５にレーザ光２０Ａ及びレーザ光２０Ｂのスポット像が形成されるようにする。そして、補正板５に形成されたスポット像のコマ収差を測定し、測定したコマ収差から対物レンズ３Ｂの傾きを測定する。コマ収差が最小になるように対物レンズ３Ｂの傾きを設定することにより、補正板５に対して対物レンズ３Ｂの光軸が垂直になり、対物レンズ３Ｂの傾き（光軸）は理想的な状態となる。
【００３３】
以上により、複数の光ディスクに対応する複数の対物レンズ３Ａ、３Ｂの傾き（光軸）を測定し、測定値に基づいて対物レンズ３Ａ、３Ｂを調整することにより、理想的な傾き（光軸）とすることができる。
【００３４】
図４は、本発明に係る光ピックアップ用対物レンズの傾き測定装置の他の例を示す系統図である。
【００３５】
図４に示される装置では、レーザ光射出部１は、波長４０５ｎｍの青色レーザ及び波長６５０ｎｍの赤色レーザを同時に射出することができると共に、マウント４は所定位置に固定されており、レーザ光射出部１は、マウント４に設置されているブルーレイディスク用の対物レンズ３Ａに、ブルーレイディスクに対応する波長４０５ｎｍの青色レーザのレーザ光２１Ａを射出し、マウント４に設置されているＤＶＤ用の対物レンズ３Ｂに、ＤＶＤに対応する波長６５０ｎｍの赤色レーザのレーザ光２２Ａを射出する。そして、光ピックアップのブルーレイディスクを載置する位置にブルーレイディスクに対応する光学特性を有する補正板５Ａを載置し、光ピックアップのＤＶＤを載置する位置にＤＶＤに対応する光学特性を有する補正板５Ｂを載置する。球面鏡６及びｘｙｚステージ７は、対物レンズ３Ａの傾きを測定するときには、対物レンズ３Ａ及び補正板５Ａを透過した光を反射する位置に移動し、対物レンズ３Ｂの傾きを測定するときには、対物レンズ３Ｂ及び補正板５Ｂを透過した光を反射する位置に移動するようにスライド機構（図示せず）が設けられている。
【００３６】
このような構成において、先ず対物レンズ３Ａの傾きを測定するとき、球面鏡６及びｘｙｚステージ７をスライド機構で補正板５Ａの位置に移動し、レーザ光射出部１はレーザ光２１Ａを射出し、レーザ光２１Ａは対物レンズ３Ａ及び補正板５Ａを透過し、球面鏡６で反射されてレーザ光２１Ｂが照射される。球面鏡６は、レーザ光２１Ａ及びレーザ光２１Ｂが補正板５Ａにスポット像を形成するように、ｘｙｚステージ７で移動される。レーザ光２１Ｂはビームスプリッタ２で反射されてレーザ光２１Ｃとなり、拡大光学系９に入射されてレーザ光２１Ｄとして照射され、レーザ光２１Ｄは光検出部１０に結像される。そして、光検出部１０によって電気信号ＥＳが解析部１１に入力され、解析部１１は補正板５Ａに形成されたスポット像のコマ収差を測定し、測定したコマ収差から対物レンズ３Ａの傾きを測定する。
【００３７】
次に対物レンズ３Ｂの傾きを測定するが、先ずスライド機構で球面鏡６及びｘｙｚステージ７を補正板５Ｂの位置に移動させ、対物レンズ３Ａの測定と同様に、レーザ光射出部１はレーザ光２２Ａを照射する。そして、レーザ光２２Ａと、レーザ光２２Ａが球面鏡６で反射されたレーザ光２２Ｂとが補正板５Ｂにスポット像を形成するように、ｘｙｚステージで球面鏡６を移動させる。レーザ光２２Ｂはビームスプリッタ２で反射されてレーザ光２２Ｃとなり、拡大光学系９に入射されてレーザ光２２Ｄとして照射され、光検出部１０に結像される。光検出部１０から電気信号ＥＳが解析部１１に入力され、解析部１１は補正板５Ｂに形成されたスポット像のコマ収差を測定し、測定したコマ収差から対物レンズ３Ｂの傾きを測定する。以上により、複数の光ディスクに対応する複数の対物レンズ３Ａ、３Ｂの傾き（光軸）を測定し、測定値に基づいて対物レンズ３Ａ、３Ｂを調整することにより、理想的な傾き（光軸）とすることができる。
【００３８】
なお、制御部８がスライド機構の機能を具備することも可能である。また、球面鏡６を２つ設け、それぞれをｘｙｚステージで移動するようにしても良いが、この場合にはレーザ光射出部は波長４０５ｎｍの青色レーザ及び、波長６５０ｎｍの赤色レーザを同時に射出する。
【００３９】
図５に示されるように、解析部１１で測定された対物レンズ３Ａ及び対物レンズ３Ｂの傾き測定値に基づいて、対物レンズ３Ａ及び対物レンズ３Ｂの傾きを自動的に調整する傾き調整機構１２を具備するようにしても良い。
【００４０】
また、拡大光学系９及び光検出部１０を設ける代わりに、干渉計を設けるようにして、レーザ光の波面収差を測定し、解析部１１で測定した波面収差からコマ収差を測定して、コマ収差から対物レンズ３Ａ及び対物レンズ３Ｂの傾きを測定するようにしても良い。
【００４１】
図１、図４及び図５で示される装置では、光ピックアップをブルーレイディスクとＤＶＤを再生／記録するものにしたが、本発明における光ピックアップは、ＣＤ、ＤＶＤ、ブルーレイディスク、ＨＤ−ＤＶＤの内のいずれかの異なる複数の光ディスクの情報を再生／記録するものであって良い。
【００４２】
以上、本発明の実施形態について具体的に説明したが、本発明はこれに限定されるものではなく、その趣旨を逸脱しない範囲で適宜変更可能である。
【図面の簡単な説明】
【００４３】
【図１】本発明に係る光ピックアップ用対物レンズの傾き測定装置の構成例を示す系統図である。
【図２】拡大光学系の一例を示す構成図である。
【図３】光検出部で撮像したスポット像の一例を示す図である。
【図４】本発明に係る光ピックアップ用対物レンズの傾き測定装置の変形例の構成を示す系統図である。
【図５】傾き調整機構を具備した本発明に係る光ピックアップ用対物レンズの傾き測定装置の構成例を示す系統図である。
【符号の説明】
【００４４】
１                              レーザ光射出部
２                              ビームスプリッタ
３Ａ、３Ｂ                      対物レンズ
４                              マウント
５、５Ａ、５Ｂ                  補正板
６                              球面鏡
７                              ｘｙｚステージ
８                              制御部
９                              拡大光学系
１０                            光検出部
１１                            解析部
【図１】
2010049766.tif 000003
【図２】
2010049766.tif 000004
【図４】
2010049766.tif 000005
【図５】
2010049766.tif 000006
【図３】
2010049766.tif 000007